(57)【要約】【課題】監視範囲内にいる対象物体の滞留時間に応じた柔軟な記録が行うことができる画像記録方法を提供する。【解決手段】監視範囲内にいる対象物体の滞留時間を計測し、その対象物体が監視範囲内に滞留している期間の画像を記録するに際して、計測した滞留時間に応じてフレームレート或いは圧縮率を設定し、設定したフレームレート或いは圧縮率により画像を記録することを特徴とする。【選択図】図３
2007251321.tif 000002
【特許請求の範囲】
【請求項１】
監視範囲内にいる対象物体の滞留時間を計測し、その対象物体が監視範囲内に滞留している期間の画像を記録するに際して、計測した滞留時間に応じてフレームレート或いは圧縮率を設定し、設定したフレームレート或いは圧縮率に変換して画像を記録することを特徴とする画像記録方法。
【発明の詳細な説明】
【技術分野】
【０００１】
本発明は、カメラから入力される画像を記録する監視記録装置に適用される画像記録方法に関する。
【背景技術】
【０００２】
従来の監視記録装置は、対象物体例えば侵入者等の検出を行い、侵入者等が検出されている間の画像のみ記録を行うようにしていた（例えば、特許文献１参照）。
【０００３】
【特許文献１】特開２０００−２５３３９０号公報
【発明の開示】
【発明が解決しようとする課題】
【０００４】
しかし、監視範囲内にいる対象物体の滞留時間に応じた柔軟な記録が行えなかった。
【０００５】
本発明の目的は、監視範囲内にいる対象物体の滞留時間に応じた柔軟な記録が行うことができる画像記録方法を提供することにある。
【課題を解決するための手段】
【０００６】
本発明は、監視範囲内にいる対象物体の滞留時間を計測し、その対象物体が監視範囲内に滞留している期間の画像を記録するに際して、計測した滞留時間に応じてフレームレート或いは圧縮率を設定し、設定したフレームレート或いは圧縮率により画像を記録することを特徴とする。
【発明の効果】
【０００７】
本発明によれば、監視範囲内にいる対象物体の滞留時間に応じた柔軟な記録が行うことができる。
【発明を実施するための最良の形態】
【０００８】
以下、本発明に係る画像記録方法を有する監視記録装置の実施の形態を説明する。
【０００９】
図１は、本発明に係る画像記録方法を有する監視記録装置の実施の形態の構成図である。
【００１０】
図１において、１００は監視記録装置であり、監視範囲１０１へ対象物体１０２が入った１０３時から出た１０４時までの対象物体１０２の画像を記録する。
【００１１】
図２は、図１における監視記録装置１００の構成図である。
【００１２】
図２において、２００はＣＰＵ（中央処理装置）、２０１はＣＰＵ（中央処理装置）２００に接続のバスである。
【００１３】
２０２は撮像素子であり、Ａ／Ｄ変換部２０３を介してバス２０１に接続される。２０４は一時記録メモリ（リングバッファ）であり、バス２０１に接続される。２０５は入出力装置であり、図１の監視範囲１０１の入口や出口に設けたセンサ１０５からの対象物体１０１の通過を知らせるセンサ信号やマウス、キーボード等の指示を入力するためのインタフェースであって、バス２０１に接続される。
【００１４】
２０６はネットワーク制御部であり、バス２０１と、図示していないＬＡＮなどのネットワークに接続され、ネットワーク上の機器とのデータの送受信を可能とする。
【００１５】
２０７は圧縮／伸張部であり、バス２０１に接続される。２０８はデータ管理部であり、バス２０１に接続され、記録された画像データに関する各種データの管理を行う。２０９はメモリであり、バス２０１に接続され、監視記録装置１００のプログラムが実行可能な状態で格納され、逐次読み出されて実行される。
【００１６】
２１０は画像処理部であり、バス２０１に接続され、一時記録メモリ（リングバッファ）２０４に一時記録されている画像を適時画像処理する。２１１は記録装置であり、バス２０１に接続され、画像処理部２１０で画像処理した画像を記録する。
【００１７】
図３は、本発明に係る画像記録方法の例の動作フローチャートを示す図である。
【００１８】
図１の監視範囲１０１に対象物体１０２が入ったかを、図２のＣＰＵ（中央処理装置）２００が、撮像素子２０２で撮像しＡ／Ｄ変換部２０３でＡ／Ｄ（アナログ／デジタル）変換した画像の輝度変化の有無、または図１の監視範囲１０１の入口や出口に設けたセンサ１０５からの対象物体１０１の通過を知らせるセンサ信号の有無をみて、判断する（３００）。
【００１９】
監視範囲１０１に対象物体１０２が入っていない場合は、図２のＣＰＵ（中央処理装置）２００は、撮像素子２０２で撮像しＡ／Ｄ変換部２０３でＡ／Ｄ（アナログ／デジタル）変換した被写体の画像を、一時記録メモリ（リングバッファ）２０４へ記録する（３０１）。そして、監視範囲１０１に対象物体１０２が入ったかを判断する（３００）に戻す。
【００２０】
監視範囲１０１に対象物体１０２が入った場合は、図２のＣＰＵ（中央処理装置）２００は、図１の監視範囲１０１内にいる対象物体１０２の滞留時間の計測（３０２）を開始するとともに、Ａ／Ｄ（アナログ／デジタル）変換した画像を一時記録メモリ（リングバッファ）２０４へ記録する（３０３）。
【００２１】
次に、図１の監視範囲１０１から対象物体１０２が出たかを、図２のＣＰＵ（中央処理装置）２００が、撮像素子２０２で撮像しＡ／Ｄ変換部２０３でＡ／Ｄ（アナログ／デジタル）変換した画像の輝度変化の有無、または図１の監視範囲１０１の入口や出口に設けたセンサ１０５からの対象物体１０１の通過を知らせるセンサ信号の検出の有無をみて、判断する（３０４）。
【００２２】
監視範囲１０１から対象物体１０２が出ていない場合は、図２のＣＰＵ（中央処理装置）は、図１の監視範囲１０１内にいる対象物体１０２の滞留時間の計測（３０２）に戻す。
【００２３】
監視範囲１０１から対象物体１０２が出た場合は、図２のＣＰＵ（中央処理装置）は、滞留時間の計測（３０２）で計測した滞留時間に応じてフレームレート或いは圧縮率を設定する（３０５）。
【００２４】
例えば計測した滞留時間が短い場合は、画像処理部２１０で処理するフレームレートを高フレームレートに設定し、計測した滞留時間が長い場合は、画像処理部２１０で処理するフレームレートを低フレームレートに設定する。或いは、例えば計測した滞留時間が短い場合は、圧縮／伸張部２０７の圧縮率を低圧縮率に設定し、計測した滞留時間が長い場合は、圧縮／伸張部２０７の圧縮率を高圧縮率に設定する。
【００２５】
また、表１に示すように、滞留時間に応じたフレームレートと圧縮率を予めテーブルとしてメモリ２０９に設定しておき、例えば、表１に示すように、パターン１〜パターン３の中からいずれか１つを適宜選択できるようにしてもよい。
【００２６】
【表１】
2007251321.tif 000003
【００２７】
次に、図２のＣＰＵ（中央処理装置）は、一時記録メモリ（リングバッファ）２０４から記録した画像を読み出し、設定したフレームレート或いは圧縮率に変換する（３０６）。
【００２８】
そして、図２のＣＰＵ（中央処理装置）は、変換した画像を記録装置２１１へ記録する（３０７）。
【００２９】
本実施の形態では、カメラと監視記録装置が一体となった場合で説明したが、カメラと監視記録装置が別々に配置されている環境においても適用できる。
【図面の簡単な説明】
【００３０】
【図１】本発明に係る画像記録方法を有する監視記録装置の実施の形態の構成図である。
【図２】図１における監視記録装置の構成図である。
【図３】本発明に係る画像記録方法の例の動作フローチャートを示す図である。
【符号の説明】
【００３１】
１００：監視記録装置、１０１：監視範囲、１０２：対象物体、１０３：監視範囲へ入った対象物体、１０４：監視範囲から出た対象物体、１０５：センサ、２００：ＣＰＵ（中央処理装置）、２０１：バス、２０２：撮像素子、２０３：Ａ／Ｄ変換部、２０４：一時記録メモリ（リングバッファ）、２０５：入出力装置、２０６：ネットワーク制御部、２０７：圧縮／伸張部、２０８：データ管理部、２０９：メモリ、２１０：画像処理部、２１１：記録装置。
【図１】
2007251321.tif 000004
【図２】
2007251321.tif 000005
【図３】
2007251321.tif 000006